(57)【要約】【課題】後処理機が同時に実行可能でない複数の後処理によって実現すべき複数の表面効果が同一ページに混在する印刷要求に対し、適切な表面効果を実現するように後処理機を制御することができる印刷制御装置、印刷制御システム、印刷制御方法及び印刷制御プログラムを提供すること。【解決手段】印刷制御装置は、記録媒体に付与する表面効果の種類と表面効果を付与する記録媒体における領域を特定する光沢制御版データを取得するデータ取得部と、記録媒体に転写されるクリアトナーに対する後処理を実行する後処理機がページ単位で同時に実行可能でない複数の後処理に対応する複数の表面効果を光沢制御版データが含む場合、複数の後処理のいずれの後処理を優先して実行すべきかを示す優先情報に応じて、後処理機がページ単位で優先して実行すべき後処理を決定する決定部と、を有する。【選択図】図１１
2013235567.tif 000002
【特許請求の範囲】
【請求項１】
記録媒体に付与する表面効果の種類と前記表面効果を付与する前記記録媒体における領域を特定する光沢制御版データを取得するデータ取得部と、
前記記録媒体に転写されるクリアトナーに対する後処理を実行する後処理機がページ単位で同時に実行可能でない複数の後処理に対応する複数の前記表面効果を前記光沢制御版データが含む場合、前記複数の後処理のいずれの後処理を優先して実行すべきかを示す優先情報に応じて、前記後処理機がページ単位で優先して実行すべき後処理を決定する決定部と、
を有することを特徴とする印刷制御装置。
【請求項２】
前記優先情報を設定する入力を受入れる入力部をさらに有すること
を特徴とする請求項１に記載の印刷制御装置。
【請求項３】
前記後処理機は、
前記記録媒体に対する光沢を制御する後処理を実行するグロッサであること
を特徴とする請求項１又は２に記載の印刷制御装置。
【請求項４】
記録媒体に付与する表面効果の種類と前記表面効果を付与する前記記録媒体における領域を特定する光沢制御版データを取得するデータ取得部と、
前記記録媒体に転写されるクリアトナーに対する後処理を実行する後処理機がページ単位で同時に実行可能でない複数の後処理に対応する複数の前記表面効果を前記光沢制御版データが含む場合、前記複数の後処理のいずれの後処理を優先して実行すべきかを示す優先情報に応じて、前記後処理機がページ単位で優先して実行すべき後処理を決定する決定部と、
を有することを特徴とする印刷制御システム。
【請求項５】
記録媒体に付与する表面効果の種類と前記表面効果を付与する前記記録媒体における領域を特定する光沢制御版データを取得する工程と、
前記記録媒体に転写されるクリアトナーに対する後処理を実行する後処理機がページ単位で同時に実行可能でない複数の後処理に対応する複数の前記表面効果を前記光沢制御版データが含む場合、前記複数の後処理のいずれの後処理を優先して実行すべきかを示す優先情報に応じて、前記後処理機がページ単位で優先して実行すべき後処理を決定する工程と、
を有することを特徴とする印刷制御方法。
【請求項６】
記録媒体に付与する表面効果の種類と前記表面効果を付与する前記記録媒体における領域を特定する光沢制御版データを取得するステップと、
前記記録媒体に転写されるクリアトナーに対する後処理を実行する後処理機がページ単位で同時に実行可能でない複数の後処理に対応する複数の前記表面効果を前記光沢制御版データが含む場合、前記複数の後処理のいずれの後処理を優先して実行すべきかを示す優先情報に応じて、前記後処理機がページ単位で優先して実行すべき後処理を決定するステップと、
をコンピュータに実行させるための印刷制御プログラム。
【発明の詳細な説明】
【技術分野】
【０００１】
本発明は、印刷制御装置、印刷制御システム、印刷制御方法及び印刷制御プログラムに関する。
【背景技術】
【０００２】
従来、ＣＭＹＫの４色のトナーの他に、色材が入っていない無色のトナーであるクリアトナーを搭載した画像形成装置が存在する。このようなクリアトナーにより形成されたトナー像は、ＣＭＹＫのトナーにより画像が形成された転写紙等の記録媒体上に定着され、この結果記録媒体の面において視覚的な効果や触覚的な効果（表面効果という）が実現される。クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォーターマークをつけたりする表面効果も求められている。また、表面保護を求める場合もある。また、定着制御のほか、グロッサや低温定着機などの専用の後処理機によって後処理を行うことで実現できる表面効果もある。また、特許文献１には、透明トナー像の潜像を形成する形成条件の変更が可能である画像形成装置が開示されている。
【０００３】
また、例えば特許文献２には、光沢のレベルを変化させたい単位に従って複数に分割された分割画像について、電子写真プロセスにかかわる定着処理の回数が異なるよう制御する画像形成装置が開示されている。
【発明の概要】
【発明が解決しようとする課題】
【０００４】
しかしながら、後処理機が同時に実行可能でない複数の後処理によって実現すべき複数の表面効果が同一ページに混在する印刷要求に対し、適切な表面効果を実現するように後処理機を制御することができないという問題があった。
【０００５】
本発明は、上記に鑑みてなされたものであって、後処理機が同時に実行可能でない複数の後処理によって実現すべき複数の表面効果が同一ページに混在する印刷要求に対し、適切な表面効果を実現するように後処理機を制御することができる印刷制御装置、印刷制御システム、印刷制御方法及び印刷制御プログラムを提供することを目的とする。
【課題を解決するための手段】
【０００６】
上述した課題を解決し、目的を達成するために、本発明にかかる印刷制御装置は、記録媒体に付与する表面効果の種類と表面効果を付与する記録媒体における領域を特定する光沢制御版データを取得するデータ取得部と、記録媒体に転写されるクリアトナーに対する後処理を実行する後処理機がページ単位で同時に実行可能でない複数の後処理に対応する複数の表面効果を光沢制御版データが含む場合、複数の後処理のいずれの後処理を優先して実行すべきかを示す優先情報に応じて、後処理機がページ単位で優先して実行すべき後処理を決定する決定部と、を有することを特徴とする。
【０００７】
また、本発明にかかる印刷制御システムは、記録媒体に付与する表面効果の種類と表面効果を付与する記録媒体における領域を特定する光沢制御版データを取得するデータ取得部と、記録媒体に転写されるクリアトナーに対する後処理を実行する後処理機がページ単位で同時に実行可能でない複数の後処理に対応する複数の表面効果を光沢制御版データが含む場合、複数の後処理のいずれの後処理を優先して実行すべきかを示す優先情報に応じて、後処理機がページ単位で優先して実行すべき後処理を決定する決定部と、を有することを特徴とする。
【０００８】
また、本発明にかかる印刷制御方法は、記録媒体に付与する表面効果の種類と表面効果を付与する記録媒体における領域を特定する光沢制御版データを取得する工程と、記録媒体に転写されるクリアトナーに対する後処理を実行する後処理機がページ単位で同時に実行可能でない複数の後処理に対応する複数の表面効果を光沢制御版データが含む場合、複数の後処理のいずれの後処理を優先して実行すべきかを示す優先情報に応じて、後処理機がページ単位で優先して実行すべき後処理を決定する工程と、を有することを特徴とする。
【０００９】
また、本発明にかかる印刷制御プログラムは、記録媒体に付与する表面効果の種類と表面効果を付与する記録媒体における領域を特定する光沢制御版データを取得するステップと、記録媒体に転写されるクリアトナーに対する後処理を実行する後処理機がページ単位で同時に実行可能でない複数の後処理に対応する複数の表面効果を光沢制御版データが含む場合、複数の後処理のいずれの後処理を優先して実行すべきかを示す優先情報に応じて、後処理機がページ単位で優先して実行すべき後処理を決定するステップと、をコンピュータに実行させる。
【発明の効果】
【００１０】
本発明によれば、後処理機が同時に実行可能でない複数の後処理によって実現すべき複数の表面効果が同一ページに混在する印刷要求に対し、適切な表面効果を実現するように後処理機を制御することができるという効果を奏する。
【図面の簡単な説明】
【００１１】
【図１】図１は、第１の実施の形態に係る印刷制御システムの構成を例示する図である。
【図２】図２は、有色版の画像データの一例を示す図である。
【図３】図３は、光沢の有無に関する表面効果の種類を例示する図である。
【図４】図４は、この光沢制御版の画像データをイメージとして示した図である。
【図５】図５は、クリア版の画像データの一例を示す図である。
【図６】図６は、ホスト装置の概略構成例を示すブロック図である。
【図７】図７は、画像処理アプリケーションにより表示される画面例を示す図である。
【図８】図８は、画像処理アプリケーションにより表示される画面例を示す図である。
【図９】図９は、濃度値選択テーブルの一例を示す図である。
【図１０】図１０は、印刷データの構成例を概念的に示す模式図である。
【図１１】図１１は、ＤＦＥの機能的構成を例示する図である。
【図１２】図１２は、表面効果選択テーブルのデータ構成を例示する図である。
【図１３】図１３は、クリアプロセッシングの機能構成例を示す図である。
【図１４】図１４は、クリアトナー版処理部の動作例を示すフローチャートである。
【図１５】図１５は、クリアトナー版処理部が光沢制御版の表面効果を追加するリスト（表面効果情報の収集結果）例を示す図である。
【図１６】図１６は、決定部の動作例を示すフローチャートである。
【図１７】図１７は、ＭＩＣの構成を概念的に例示する図である。
【図１８】図１８は、グロッサがページ単位で同時に実行できない複数の後処理が光沢制御版データによって示された場合に、印刷制御システムが印刷を行った結果を示す図である。
【図１９】図１９は、ＵＩ部が表示する表面効果選択テーブルを変更するためのメニュー画面を示す図である。
【図２０】図２０は、第２の実施の形態に係る印刷制御システムの構成を例示する図である。
【図２１】図２１は、第２の実施の形態にかかるクリアトナー版の生成処理の全体の流れを示すシーケンス図である。
【図２２】図２２は、ホスト装置、ＤＦＥ、サーバ装置のハードウェア構成図である。
【発明を実施するための形態】
【００１２】
以下に添付図面を参照して、この発明にかかる印刷制御装置、印刷制御システム、印刷制御方法及び印刷制御プログラムの一実施の形態を詳細に説明する。
【００１３】
[第１の実施の形態]
まず、本実施の形態に係る印刷制御システム（画像形成システム）の構成について図１を用いて説明する。本実施の形態においては、印刷制御システムは、印刷制御装置（DFE:Digital  Front  End）５０（以下、「ＤＦＥ５０」という。）と、インタフェースコントローラ(MIC:Mechanism  I/F  Controller)６０（以下、「ＭＩＣ６０」という。）と、プリンタ７０と、後処理機としてグロッサ８０が接続されて構成される。ＤＦＥ５０は、ＭＩＣ６０を介してプリンタ７０と通信を行い、プリンタ７０での画像の形成を制御する。また、ＤＦＥ５０には、ＰＣ(Personal  Computer)等のホスト装置１０が接続され、ＤＦＥ５０は、ホスト装置１０から画像データを受信して、当該画像データを用いて、プリンタ７０がＣＭＹＫの各トナー及びクリアトナーに応じたトナー像を形成するための画像データを生成してこれをＭＩＣ６０を介してプリンタ７０に送信する。プリンタ７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１４】
ここで、クリアトナーとは、色材を含まない透明な（無色の）トナーである。なお、透明（無色）とは、例えば、透過率が７０％以上であることを示す。
【００１５】
プリンタ７０は、ＭＩＣ６０を介してＤＦＥ５０から送信された画像データに応じて、露光器から光ビームを照射して各トナーに応じたトナー像を感光体上に形成して、これを記録媒体としての用紙に転写しこれを定着機によって所定の範囲内の温度（通常温度）での加熱及び加圧で定着させる。これによって用紙に画像が形成される。なお、用紙は記録媒体の一例であり、記録媒体としてはこれに限定されるものではない。例えば、記録媒体として、合成紙やビニール紙等も適用することができる。
【００１６】
グロッサ８０は、ＤＦＥ５０から指定されるオンオフ情報によりオン又はオフが制御され、オンにされた場合に、プリンタ７０により用紙に形成された画像を高温及び高圧で加圧し、その後、冷却して本体から画像が形成された用紙を剥離する。これにより用紙に形成された画像全体において所定以上のトナーが付着した各画素のトナーの総付着量は均一に圧縮される。つまり、グロッサ８０は、ページ単位で表面効果を与える後処理を実行するように構成されている。
【００１７】
ここで、ホスト装置１０から入力される画像データ（原稿データ）について説明する。ホスト装置１０では、予めインストールされた画像処理アプリケーション（後述する画像処理部１２０、版データ生成部１２２、印刷データ生成部１２３等）により画像データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１８】
本実施の形態では、この特色としてのクリアトナーを、用紙に付与する視覚的または触覚的な効果である表面効果を形成するため、および、用紙に、上記表面効果以外のウォータマークやテクスチャ等の透明画像を形成するために用いる。
【００１９】
このため、ホスト装置１０の画像処理アプリケーションは、入力された画像データに対して、有色版の画像データの他、特色版の画像データとして、ユーザの指定により、光沢制御版の画像データおよび／またはクリア版の画像データとを生成する。
【００２０】
ここで、有色版の画像データとは、画素毎にＲＧＢやＣＭＹＫ等の有色の濃度値を規定した画像データである。この有色版の画像データでは、ユーザによる色の指定により、１画素を８ビットで表現される。図２は、有色版の画像データの一例を示す説明図である。図２において、「Ａ」、「Ｂ」、「Ｃ」等の描画オブジェクトごとにユーザが画像処理アプリケーションで指定した色に対応する濃度値が付与される。
【００２１】
また、光沢制御版の画像データとは、用紙に付与する視覚的または触覚的な効果である表面効果に応じたクリアトナーを付着させる制御を行うため、当該表面効果の与えられる領域および当該表面効果の種類を特定した画像データである。
【００２２】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与しても良い）。
【００２３】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版の画像データ（光沢制御版データ）を生成する。
【００２４】
この光沢制御版の画像データを構成する各画素は、色版の画像データの画素に対応する。尚、各画像データにおいては各画素の表す濃度値が画素値となる。また、色版の画像データ及び光沢制御版は共にページ単位で構成される。
【００２５】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２６】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版の画像データが生成される。濃度値と表面効果の種類との対応関係については後述する。
【００２７】
図４は、光沢制御版の画像データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図９参照）で、表面効果の種類に対応して定められた濃度値である。
【００２８】
クリア版の画像データとは、上記表面効果以外のウォータマークやテクスチャ等の透明画像を特定した画像データである。図５は、クリア版の画像データの一例を示す説明図である。図５の例では、ユーザにより、ウォータマーク「Ｓａｌｅ」が指定されている。
【００２９】
このように、特色版の画像データである、光沢制御版およびクリア版の画像データは、ホスト装置１０の画像処理アプリケーションにより、有色版の画像データとは別のプレーンで生成される。また、有色版の画像データ、光沢制御版の画像データ、クリア版の画像データの各画像データの形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３０】
次に、このような各版の画像データを生成するホスト装置１０の詳細について説明する。図６は、ホスト装置１０の概略構成例を示すブロック図である。図６に示すように、ホスト装置１０は、Ｉ／Ｆ部１１と、記憶部１２と、入力部１３と、表示部１４と、制御部１５とを含んで構成される。Ｉ／Ｆ部１１は、ＤＦＥ５０との間で通信を行うためのインタフェース装置である。記憶部１２は各種のデータを記憶するハードディスクドライブ装置（ＨＤＤ）やメモリ等の記憶媒体である。入力部１３は、ユーザが各種の操作入力を行うための入力デバイスであり、例えばキーボードやマウスなどで構成され得る。表示部１４は、各種画面を表示するための表示デバイスであり、例えば液晶パネルなどで構成され得る。
【００３１】
制御部１５は、ホスト装置１０全体を制御し、ＣＰＵ、ＲＯＭおよびＲＡＭなどを含んで構成されるコンピュータである。図６に示すように、制御部１５は、入力制御部１２４と、画像処理部１２０と、表示制御部１２１と、版データ生成部１２２と、印刷データ生成部１２３とを主に備えている。これらの各部のうち入力制御部１２４と表示制御部１２１は、制御部１５のＣＰＵがＲＯＭ等に格納されたオペレーティングシステムのプログラムを読み出してＲＡＭ上に展開して実行することにより実現される。画像処理部１２０、版データ生成部１２２、印刷データ生成部１２３は、制御部１５のＣＰＵがＲＯＭ等に格納された上述の画像処理アプリケーションのプログラムを読み出してＲＡＭ上に展開して実行することにより実現される。ここで、版データ生成部１２２は、例えば、画像処理アプリケーションにインストールされたプラグインの機能として提供される。なお、これらの各部のうちの少なくとも一部を個別の回路（ハードウェア）で実現することも可能である。
【００３２】
入力制御部１２４は、入力部１３からの各種入力を受け付けて入力を制御する。例えばユーザは、入力部１３を操作することにより、記憶部１２に記憶された各種画像（例えば写真、文字、図形、これらを合成した画像等）のうち表面効果を与えるべき画像、すなわち有色版の画像データ（以下、「対象画像」と呼ぶ場合もある。）を指定する画像指定情報を入力することができる。なお、これに限らず、画像指定情報の入力方法は任意である。
【００３３】
表示制御部１２１は、表示部１４に対する各種情報の表示を制御する。本実施の形態では、表示制御部１２１は、入力制御部１２４で画像指定情報を受け付けた場合、その画像指定情報で指定された画像を記憶部１２から読み出し、その読み出した画像を画面上に表示するように表示部１４を制御する。
【００３４】
ユーザは、表示部１４に表示された対象画像を確認しながら、入力部１３を操作することにより、表面効果を与える領域および当該表面効果の種類を指定する指定情報を入力することができる。なお、指定情報の入力方法は、これに限られるものではなく、任意である。
【００３５】
より具体的には、表示制御部１２１は、例えば、図７に例示される画面を表示部１４に表示させる。この図７は、Ａｄｏｂｅ  Ｓｙｓｔｅｍ（Ｒ）社が販売しているＩｌｌｕｓｔｒａｔｏｒ（登録商標）にプラグインを組み込んだ場合に表示される画面の例である。図７に示される画面では、処理対象である対象画像データ（有色版の画像データ）によって表される画像が表示され、ユーザが入力部１３を介してマーカ追加ボタンを押下して、表面効果を与えたい領域を指定する操作入力を行うことで、表面効果を与える領域が指定される。ユーザは表面効果を与える全ての領域に対してこのような操作入力を行うことになる。そして、ホスト装置１０の表示制御部１２１は、例えば、指定された領域毎に、図８に例示される画面を表示部１４に表示させる。図８に示される画面では、表面効果を与えるものとして指定された各領域において当該領域の画像が表され、当該画像に対して与えたい表面効果の種類を指定する操作入力を入力部１３を介して行うことで、当該領域に対して与える表面効果の種類が指定される。表面効果の種類として、図３の鏡面光沢やベタ光沢は図８では「インバースマスク」と表記されており、図３の鏡面光沢やベタ光沢を除く他の効果は、図８のステンドグラスや万線パターンや網目パターンやモザイクスタイルと、網点マット、ハーフトーンとして表記されており、各々の表面効果が指定可能であることが示されている。
【００３６】
図６に戻り、画像処理部１２０は、対象画像に対して、ユーザからの入力部１３を介した指示に基づいて、各種画像処理を行う。
【００３７】
版データ生成部１２２は、有色版の画像データ、光沢制御版の画像データ、クリア版の画像データをそれぞれ生成する。すなわち、版データ生成部１２２は、入力制御部１２４で、対象画像の描画オブジェクトに対するユーザによる色指定を受け付けた場合、当該色指定に従って、有色版の画像データを生成する。
【００３８】
また、版データ生成部１２２は、入力制御部１２４で、表面効果以外のウォータマークやテクスチャ等の透明画像及び透明画像を付与する領域の指定を受け付けた場合、当該ユーザからの指定に従って、透明画像および透明画像を付与する用紙における領域とを特定するためのクリア版の画像データを生成する。
【００３９】
また、版データ生成部１２２は、入力制御部１２４で指定情報（表面効果を与える領域および当該表面効果の種類）を受け付けた場合、当該指定情報に基づいて、用紙において表面効果が与えられる領域および当該表面効果の種類を特定可能な光沢制御版の画像データを生成する。ここで、版データ生成部１２２は、光沢制御値で示す表面効果を付与する領域を、対象画像の画像データの描画オブジェクトの単位で指定した光沢制御版の画像データを生成する。
【００４０】
ここで、記憶部１２には、ユーザにより指定された表面効果の種類と、当該表面効果の種類に対応する光沢制御版の濃度値とを記憶する濃度値選択テーブルが格納される。図９は、濃度値選択テーブルの一例を示す図である。図９の例では、ユーザにより「ＰＧ」（鏡面光沢）が指定された領域に対応する光沢制御版の濃度値は「９８％」であり、「Ｇ」（ベタ光沢）が指定された領域に対応する光沢制御版の濃度値は「９０％」であり、「Ｍ」（網点マット）が指定された領域に対応する光沢制御版の濃度値は「１６％」であり、「ＰＭ」（つや消し）が指定された領域に対応する光沢制御版の濃度値は「６％」である。
【００４１】
この濃度値選択テーブルは、ＤＦＥ５０で記憶している表面効果選択テーブル（後述）の一部のデータであり、制御部１５が所定のタイミングで表面効果選択テーブルを取得して、取得した表面効果選択テーブルから生成して記憶部１２に保存する。なお、インターネット等のネットワーク上のストレージサーバ（クラウド）に表面効果選択テーブルを保存しておき、制御部１５が当該サーバから表面効果選択テーブルを取得して、取得した表面効果選択テーブルから生成するように構成してもよい。ただし、ＤＦＥ５０で記憶している表面効果選択テーブルと記憶部１２に保存されている表面効果選択テーブルとは同じデータである必要がある。
【００４２】
図６に戻り、版データ生成部１２２は、図９に示す濃度値選択テーブルを参照しながら、ユーザにより所定の表面効果が指定された描画オブジェクトの濃度値（光沢制御値）を、当該表面効果の種類に応じた値に設定することで、光沢制御版の画像データを生成する。例えばユーザにより、図２に示した有色版の画像データである対象画像のうち、「ＡＢＣ」と表示される領域に「ＰＧ」、長方形の領域に「Ｇ」、円形の領域に「Ｍ」を与えることが指定された場合を想定する。この場合、版データ生成部１２２は、ユーザにより「ＰＧ」が指定された描画オブジェクト（「ＡＢＣ」）の濃度値を「９８％」に設定し、「Ｇ」が指定された描画オブジェクト（「長方形」）の濃度値を「９０％」に設定し、「Ｍ」が指定された描画オブジェクト（「円形」）の濃度値を「１６％」に設定することで、光沢制御版の画像データを生成する。版データ生成部１２２で生成された光沢制御版の画像データは、点の座標と、それを結ぶ線や面の方程式のパラメータ、および、塗り潰しや特殊効果などを示す描画オブジェクトの集合として表現されるベクタ形式のデータである。図４は、この光沢制御版の画像データをイメージとして示した図である。版データ生成部１２２は、光沢制御版の画像データと、対象画像の画像データ（有色版の画像データ）と、クリア版の画像データとを統合した原稿データを生成して印刷データ生成部１２３へ渡す。
【００４３】
印刷データ生成部１２３は、原稿データに基づいて印刷データを生成する。印刷データは、対象画像の画像データ（有色版の画像データ）と、光沢制御版の画像データと、クリア版の画像データと、例えばプリンタの設定、集約の設定、両面の設定などをプリンタに対して指定するジョブコマンドとを含んで構成される。図１０は、印刷データの構成例を概念的に示す模式図である。図１０の例では、ジョブコマンドとして、ＪＤＦ（Job  Definition  Format）が用いられているが、これに限られるものではない。図１０に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ５０が対応していれば、ＰＤＦ形式のままでもよい。
【００４４】
次に、ＤＦＥ５０の機能的構成について説明する。ＤＦＥ５０は、図１１に例示されるように、データ取得部５８と、レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、表面効果選択テーブル（不図示）とを有する。
【００４５】
データ取得部５８は、ホスト装置１０が送信した画像データ（例えば、図１０に示した印刷データ）を取得する。即ち、データ取得部５８が取得する画像データには、光沢制御版データが含まれる。
【００４６】
レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する(separate)機能と、画像データを統合する（integrate）機能とを有するものである。表面効果選択テーブルは例えば補助記憶部に記憶されるものである。
【００４７】
レンダリングエンジン５１には、ホスト装置１０から送信された画像データがデータ取得部５８を介して入力される。レンダリングエンジン５１は、入力された画像データを言語解釈して、ベクタ形式で表現される画像データをラスタ形式に変換すると共に、ＲＧＢ形式等で表現された色空間をＣＭＹＫ形式の色空間に変換して、ＣＭＹＫの色版の各８ビットの画像データ、８ビットの光沢制御版及び８ビットのクリア版を出力する。なお、レンダリングエンジン５１は、クリア版を出力しない構成であってもよい。
【００４８】
ｓｉ１部５２は、ＣＭＹＫの各８ビットの画像データをＴＲＣ５３に出力し、８ビットの光沢制御版（及び８ビットのクリア版）をクリアプロセッシング５６に出力する。ここで、ＤＦＥ５０は、ホスト装置１０から出力されたベクタ形式の光沢制御版の画像データをラスタ形式に変換し、この結果、ＤＦＥ５０は、ユーザが画像処理アプリケーションにより指定した描画オブジェクトに対する表面効果の種類を、画素を単位として濃度値として設定して光沢制御版の画像データを出力する。
【００４９】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ７０でのせることが可能なトナー量に限界があるため、ガンマ補正後のＣＭＹＫ各８ビットの画像データを制限する処理である。ちなみに、総量規制を越えて印刷した場合、転写不良や定着不良により画質が劣化してしまう。当実施例では関連するガンマ補正のみを取り上げて説明している。
【００５０】
ｓｉ２部５４は、ＴＲＣ５３でガンマ補正されたＣＭＹＫの各８ビットの画像データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの画像データが入力される。ハーフトーンエンジン５５は、入力された画像データをプリンタ７０に出力するための、例えばＣＭＹＫの各２ビット等の画像データのデータ形式に変換するハーフトーン処理を行い、ハーフトーン処理後のＣＭＹＫ各２ビット等の画像データを出力する。なお、２ビットは一例であり、これに限定されるものではない。
【００５１】
クリアプロセッシング５６には、レンダリングエンジン５１が変換した８ビットの光沢制御版（及び８ビットのクリア版）がｓｉ１部５２を介して入力されると共に、ＴＲＣ５３がガンマ補正を行ったＣＭＹＫの各８ビットの画像データがｓｉ２部５４を介して入力される。クリアプロセッシング５６は、入力された光沢制御版（及び８ビットのクリア版）を用いて、後述の表面効果選択テーブルを参照して、光沢制御版を構成する各画素の表す濃度値（画素値）に対する表面効果を判断して、当該判断に応じて、グロッサ８０のオン又はオフを決定すると共に、入力されたＣＭＹＫの各８ビットの画像データを用いてインバースマスクやベタマスクを適宜生成することにより、クリアトナーを付着させるための２ビットのクリアトナー版の画像データを適宜生成する。そして、表面効果の判断の結果に応じて、クリアプロセッシング５６は、プリンタ７０で用いるクリアトナー版の画像データを適宜生成して出力すると共に、グロッサ８０のオン又はオフに対応するオンオフ情報を出力する。
【００５２】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスクは以下の式１で表される。
【００５３】
Ｃｌｒ＝１００−（Ｃ＋Ｍ＋Ｙ＋Ｋ）・・・(式１)
（但し、Ｃｌｒ＜０となる場合、Ｃｌｒ＝０）
【００５４】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００５５】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００５６】
尚、表面効果を与える対象の画素の中でも、１００％以外の濃度率が対応付けられるものがあるようにしても良く、ベタマスクのパターンは複数有り得る。
【００５７】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５８】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５９】
要するに、インバースマスクは、上記式１〜式４の何れかの式により表されるものであればよい。
【００６０】
表面効果選択テーブルは、表面効果を示す光沢制御値としての濃度値と当該表面効果の種類の対応関係を示すと共に、これらと、印刷制御システムの構成に応じた後処理機に関する制御情報と、プリンタ７０で用いるクリアトナー版の画像データ及び後処理機で用いるクリアトナー版の画像データとの対応関係を示すテーブルである。画像形成システムの構成は、様々に異なり得るが、本実施の形態においては、プリンタ７０に後処理機としてグロッサ８０が接続される構成である。このため、画像形成システムの構成に応じた後処理機に関する制御情報とは、グロッサ８０のオン又はオフを示すオンオフ情報となる。
【００６１】
図１２は、表面効果選択テーブルのデータ構成を例示する図である。尚、表面効果選択テーブルは、異なる印刷制御システム（画像形成システム）の構成毎に、後処理機に関する制御情報と、クリアトナー版の画像データと、濃度値及び表面効果の種類との対応関係を示すように構成され得るが、図１２では、本実施の形態に係る印刷制御システムの構成に応じたデータ構成を例示している。図１２に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面光沢及びベタ光沢）が対応付けられており、濃度率が１６％以下となる濃度値の範囲（「２３」〜「４３」）に対して光沢を抑える表面効果（網点マット）が対応付けられている。また、濃度率が２０％〜８０％となる濃度値の範囲には、テクスチャや地紋透かしなどの表面効果が対応付けられている。
【００６２】
より具体的には、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢(G:Gross)が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット(M:Matt)が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。これらの同一の表面効果の異なるタイプはプリンタ７０で使用するクリアトナー版の画像データを求める式に違いがあり、プリンタ本体や後処理機の動作は同じである。尚、「０」の濃度値には、表面効果を与えないことが対応付けられている。
【００６３】
また、表面効果選択テーブル（図１２）は、画素値及び表面効果と、グロッサ８０のオン又はオフを示すオンオフ情報とが対応づけられ、オンオフ情報が各表面効果における最適な後処理制御を示している。具体的には、表面効果選択テーブルは、表面効果が鏡面光沢の場合はグロッサ８０をオンにすること、ベタ光沢や触感パターンや網点マットの場合はグロッサ８０をオフすること、ユーザ定義や透かし文字や地紋パターンや表面効果なしの場合はグロッサ８０のオンオフを指定しないことなどを表している。
【００６４】
クリアプロセッシング５６は、上述した表面効果選択テーブルを参照して、光沢制御版によって示される各画素値に対応付けられている表面効果を判断すると共に、グロッサ８０のオン又はオフを判断して、プリンタ７０でどのようなクリアトナー版の画像データを用いるかを判断する。尚、クリアプロセッシング５６は、グロッサ８０のオン又はオフの判断を１ページ毎に行う。そして、上述したように、クリアプロセッシング５６は、当該判断の結果に応じて、クリアトナー版の画像データを適宜生成してこれを出力すると共に、グロッサ８０に対するオンオフ情報を出力する。
【００６５】
図１３はクリアプロセッシング５６の機能構成例を表したものである。クリアトナー版処理部５６３は、光沢制御版記憶部５６０から得られる光沢制御版データと、クリア版記憶部５６１から得られるクリア版データと、テーブル記憶部５６２から得られる表面効果テーブルに基づいてクリアトナー版を生成するクリアトナー版処理を行い、その結果をクリアトナー版記憶部５６９に記憶する。また、クリアトナー版処理部５６３は、クリアトナー版処理を行っている最中に、クリアトナー版に施した表面効果の情報を表面効果情報記憶部５６４に記憶させる。ページ全体のクリアトナー版処理が完了すると、表面効果情報記憶部５６４には、ページに対して実施された表面効果の全ての情報が記録されることとなり、決定部５６７がこの情報に基づいて後処理制御を決定する。
【００６６】
グロッサ８０は、ページ単位で処理を実行するため、同一のページに対して処理のオンとオフとを同時に実行することができない。そこで、決定部５６７は、グロッサ８０が同時に実行できない後処理（処理のオンとオフ）によって実現すべき複数の表面効果が同一ページに混在する場合、ページ単位で適切な表面効果を実現するように、グロッサ８０がページ単位でオンまたはオフのいずれの後処理を優先して実行すべきかを示す優先情報に応じて、グロッサ８０がページ単位で優先して実行すべき後処理を決定する。具体的には、優先情報は、上述した表面効果選択テーブル（図１２）に基づいて、適切な表面効果を実現するように例えば予め定められている。優先情報には、例えば、グロッサ８０を常にオフにする「ＯＦＦ固定」、グロッサ８０をオンにする表面効果を優先する「ＯＮ優先」及びグロッサ８０をオフにする表面効果を優先する「ＯＦＦ優先」などの後処理制御の選択方式が含まれる。
【００６７】
また、クリアプロセッシング５６は、例えばＵＩ（ユーザインターフェイス）部５６５及び設定記憶部５６６を有し、ＵＩ部５６５が備える入力部を介して優先情報を設定する入力を受入れるように構成されてもよい。設定記憶部５６６は、ＵＩ部５６５を介して入力された優先情報の設定を記憶する。また、クリアプロセッシング５６は、ＵＩ部５６５を介して優先情報が設定されることに代えて、サーバ装置３６０１などから優先情報が設定されてもよい。決定部５６７が決定した結果を示す情報は、後処理制御記憶部５６８が記憶する。
【００６８】
次に、クリアトナー版処理部５６３及び決定部５６７の動作を中心として、クリアプロセッシング５６の動作例について詳述する。図１４は、クリアトナー版処理部５６３の動作例を示すフローチャートである。図１４に示すように、ステップ１００（Ｓ１００）において、クリアトナー版処理部５６３は、データ取得部５８を介して記録媒体に転写すべき画像データを取得する。
【００６９】
ステップ１０２（Ｓ１０２）において、クリアトナー版処理部５６３は、Ｓ１００の処理で取得した画像データに、光沢制御版（光沢制御版データ）があるか否かを判断する。クリアトナー版処理部５６３は、光沢制御版があると判断した場合（Ｓ１０２：Ｙｅｓ）にはＳ１０４の処理に進む。また、クリアトナー版処理部５６３は、光沢制御版がないと判断した場合（Ｓ１０２：Ｎｏ）にはＳ１１２の処理に進む。
【００７０】
ステップ１０４（Ｓ１０４）において、クリアトナー版処理部５６３は、Ｓ１００の処理で取得した画像データに、クリア版があるか否かを判断する。クリアトナー版処理部５６３は、クリア版があると判断した場合（Ｓ１０４：Ｙｅｓ）にはＳ１０６の処理に進む。また、クリアトナー版処理部５６３は、クリア版がないと判断した場合（Ｓ１０４：Ｎｏ）にはＳ１１０の処理に進む。
【００７１】
ステップ１０６（Ｓ１０６）において、クリアトナー版処理部５６３は、光沢制御版とクリア版のどちらを優先するかを、上述した優先情報に基づいて判断する。クリアトナー版処理部５６３は、クリア版を優先すると判断した場合にはＳ１０８の処理に進む。また、クリアトナー版処理部５６３は、光沢制御版を優先すると判断した場合にはＳ１１０の処理に進む。
【００７２】
ステップ１０８（Ｓ１０８）において、クリアトナー版処理部５６３は、クリア版の濃度が０％であるか否かを判断する。クリアトナー版処理部５６３は、クリア版の濃度が０％であると判断した場合（Ｓ１０８：Ｙｅｓ）にはＳ１１０の処理に進む。また、クリアトナー版処理部５６３は、クリア版の濃度が０％でないと判断した場合（Ｓ１０８：Ｎｏ）にはＳ１１８の処理に進む。
【００７３】
ステップ１１０（Ｓ１１０）において、クリアトナー版処理部５６３は、光沢制御版の表面効果をリストに追加する。図１５は、クリアトナー版処理部５６３が光沢制御版の表面効果を追加するリスト（表面効果情報の収集結果）例である。図１５に示したリストには、それぞれの表面効果が同一ページ内にあるか否かが示されている。クリアトナー版処理部５６３が収集する表面効果情報は、それぞれの表面効果の有無の判別が可能な情報であればよく、他の形式でも良い。例えば、表面効果を追加するリストは、存在する表面効果を列挙するものであってもよいし、表面効果毎に実施されるドット数をカウントしたものが対応づけられたものであってもよい。
【００７４】
ステップ１１２（Ｓ１１２）において、クリアトナー版処理部５６３は、Ｓ１００の処理で取得した画像データに、クリア版があるか否かを判断する。クリアトナー版処理部５６３は、クリア版があると判断した場合（Ｓ１１２：Ｙｅｓ）にはＳ１１４の処理に進む。また、クリアトナー版処理部５６３は、クリア版がないと判断した場合（Ｓ１１２：Ｎｏ）には処理を終了する。
【００７５】
ステップ１１４（Ｓ１１４）において、クリアトナー版処理部５６３は、クリア版を用いて光沢制御を行う必要があるか否かを、ユーザによる設定に基づいて判断する。クリアトナー版処理部５６３は、光沢制御を行う必要があると判断した場合（Ｓ１１４：Ｙｅｓ）にはＳ１１６の処理に進む。また、クリアトナー版処理部５６３は、光沢制御を行う必要がないと判断した場合（Ｓ１１４：Ｎｏ）にはＳ１１８の処理に進む。
【００７６】
ステップ１１６（Ｓ１１６）において、クリアトナー版処理部５６３は、クリア版によって行う表面効果を図１５に示したリストに追加する。
【００７７】
ステップ１１８（Ｓ１１８）において、クリアトナー版処理部５６３は、図１５に示したリストを参照し、適切な表面効果を実現する画素毎のクリアトナー版を生成するクリアトナー版処理を行う。
【００７８】
図１６は、決定部５６７の動作例を示すフローチャートである。図１６に示すように、ステップ２００（Ｓ２００）において、決定部５６７は、優先情報に含まれる後処理制御の選択方式を判定する。決定部５６７は、選択方式が「ＯＮ優先」である場合にはＳ２０２の処理に進む。また、決定部５６７は、選択方式が「ＯＦＦ優先」である場合にはＳ２０８の処理に進む。また、決定部５６７は、選択方式が「ＯＦＦ固定」である場合にはＳ２０４の処理に進む。
【００７９】
ステップ２０２（Ｓ２０２）において、決定部５６７は、同一ページに対してグロッサ８０をＯＮにすべき表面効果（図１２参照）があるか否かを判断する。決定部５６７は、グロッサ８０をＯＮにすべき表面効果があると判断した場合（Ｓ２０２：Ｙｅｓ）にはＳ２０６の処理に進む。また、決定部５６７は、グロッサ８０をＯＮにすべき表面効果がないと判断した場合（Ｓ２０２：Ｎｏ）にはＳ２０４の処理に進む。
【００８０】
ステップ２０４（Ｓ２０４）において、決定部５６７は、グロッサ８０がオフにされるように決定する。つまり、決定部５６７は、ページ単位でグロッサ８０がオフとなる後処理が優先して実行されるように後処理の決定を行う（グロッサ制御＝ＯＦＦ）。
【００８１】
ステップ２０６（Ｓ２０６）において、決定部５６７は、グロッサ８０がオンにされるように決定する。つまり、決定部５６７は、ページ単位でグロッサ８０がオンとなる後処理が優先して実行されるように後処理の決定を行う（グロッサ制御＝ＯＮ）。
【００８２】
ステップ２０８（Ｓ２０８）において、決定部５６７は、同一ページに対してグロッサ８０をＯＦＦにすべき表面効果（図１２参照）があるか否かを判断する。決定部５６７は、グロッサ８０をＯＦＦにすべき表面効果があると判断した場合（Ｓ２０８：Ｙｅｓ）にはＳ２１０の処理に進む。また、決定部５６７は、グロッサ８０をＯＦＦにすべき表面効果がないと判断した場合（Ｓ２０８：Ｎｏ）にはＳ２１２の処理に進む。
【００８３】
ステップ２１０（Ｓ２１０）において、決定部５６７は、グロッサ８０がオフにされるように決定する。つまり、決定部５６７は、ページ単位でグロッサ８０がオフとなる後処理が優先して実行されるように後処理の決定を行う（グロッサ制御＝ＯＦＦ）。
【００８４】
ステップ２１２（Ｓ２１２）において、決定部５６７は、同一ページに対してグロッサ８０をＯＮにすべき表面効果があるか否かを判断する。決定部５６７は、グロッサ８０をＯＮにすべき表面効果があると判断した場合（Ｓ２１２：Ｙｅｓ）にはＳ２１４の処理に進む。また、決定部５６７は、グロッサ８０をＯＮにすべき表面効果がないと判断した場合（Ｓ２１２：Ｎｏ）にはＳ２１０の処理に進む。
【００８５】
ステップ２１４（Ｓ２１４）において、決定部５６７は、グロッサ８０がオンにされるように決定する。つまり、決定部５６７は、ページ単位でグロッサ８０がオンとなる後処理が優先して実行されるように後処理の決定を行う（グロッサ制御＝ＯＮ）。
【００８６】
ｓｉ３部５７（図１１）は、ハーフトーン処理後のＣＭＹＫの各２ビットの画像データと、クリアプロセッシング５６が生成した２ビットのクリアトナー版の画像データとを統合し、統合した画像データをＭＩＣ６０に出力する。尚、プリンタ７０で用いるクリアトナー版の画像データをクリアプロセッシング５６が生成していない場合には、ｓｉ３部５７は、ＣＭＹＫの各２ビットの画像データを統合した画像データを出力する。この結果、ＤＦＥ５０からは各々２ビットの４つ又は５つの画像データがＭＩＣ６０へ送り出されることになる。また、ｓｉ３部５７は、クリアプロセッシング５６が出力したグロッサ８０に対するオンオフ情報もＭＩＣ６０に出力する。
【００８７】
ＭＩＣ６０（図１）は、ＤＦＥ５０とプリンタ７０とに接続される。ＭＩＣ６０は、後処理機として搭載されている装置構成を示す装置構成情報をＤＦＥ５０に出力する。また、ＭＩＣ６０は、色版の画像データ、クリアトナー版の画像データをＤＦＥ５０から受信して各画像データを対応する装置に振り分けるとともに、後処理機の制御を行う。より具体的には、ＭＩＣ６０は、図１７に例示されるように、ＤＦＥ５０から出力された画像データのうちＣＭＹＫの色版の画像データをプリンタ７０に出力し、プリンタ７０で用いるクリアトナー版の画像データがある場合にはこれもプリンタ７０に出力し、ＤＦＥ５０から出力されたオンオフ情報を用いて、グロッサ８０をオン又はオフにする。グロッサ８０はオンオフ情報によって定着を行う経路と行わない経路とを切り替えても良い。
【００８８】
また、図１７に示すように、プリンタ７０、グロッサ８０を有する印刷システムは、記録媒体を搬送する搬送路を備えている。なお、プリンタ７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることにより、プリンタ７０およびグロッサ８０に対して順に搬送される。そして、記録媒体は、これらの機器によって順次処理が行われて画像形成及び表面効果が付与された後に、図示を省略する搬送機構によって搬送路を搬送されて、印刷システムの外部へと排出される。
【００８９】
図１８は、グロッサ８０がページ単位で同時に実行できない複数の後処理が光沢制御版データによって示された場合に、本実施の形態に係る印刷制御システムが印刷を行った結果を示す図である。図１８に示すように、鏡面光沢、触感パターン及び網点マットの後処理を示す光沢制御版データＰ１を含む画像データをＤＦＥ５０が受入れた場合、印刷制御システムは、例えば印刷結果Ｐ１ａ又は印刷結果Ｐ１ｂを出力する。すなわち、印刷制御システムは、後処理制御の選択方式が「ＯＮ優先」である場合、図１２に示した表面効果選択テーブルに従ってグロッサ８０をＯＮにした後処理を行い、印刷結果Ｐ１ａを出力する。印刷結果Ｐ１ａでは、光沢制御版データＰ１において触感パターン及び網点マットとされていた後処理が、いずれも鏡面光沢相当の後処理に代替えされている。一方、印刷制御システムは、後処理制御の選択方式が「ＯＦＦ優先」又は「ＯＦＦ固定」である場合、グロッサ８０をＯＦＦにした後処理を行い、印刷結果Ｐ１ｂを出力する。印刷結果Ｐ１ｂでは、光沢制御版データＰ１において触感パターン及び網点マットとされていた後処理がそのまま実行され、光沢制御版データＰ１において鏡面光沢とされていた後処理がベタ光沢相当の後処理に代替えされている。
【００９０】
次に、表面効果選択テーブルの変更について説明する。図１２に示した表面効果選択テーブルは、予め定められたものであり、表面効果それぞれに対してグロッサ８０の動作（ＯＮ／ＯＦＦ）が設定されている。ただし、表面効果選択テーブルは、例えばＵＩ部５６５などを介して変更可能にされてもよい。図１９は、例えばＵＩ部５６５が表示する表面効果選択テーブルを変更するためのメニュー画面を示す図である。図１９に示すように、表面効果選択テーブルは、グロッサＯＮ／ＯＦＦ（図１２における最右列）がメニュー画面を介して変更可能にされてもよい。表面効果選択テーブルの変更は、表面効果毎であってもよいし、鏡面光沢やベタ光沢などのグループ毎であってもよい。このように、印刷システムは、変更可能な表面効果選択テーブルが用いられ、後処理制御の選択方式が設定されることにより、表面効果の変更が可能にされている。
【００９１】
[第２の実施の形態]
第１の実施の形態では、ホスト装置１０に版データ生成部１２２と印刷データ生成部１２３を設け、ＤＦＥ５０にクリアプロセッシング５６を設け、ホスト装置１０で、有色版データ、クリア版データおよび光沢制御版データの生成を行う版データ生成処理、印刷データの生成処理、ＤＦＥ５０で、クリアトナー版データの生成処理を行うように構成したが、印刷システムの構成は、これに限定されるものではない。
【００９２】
すなわち、一の装置で行っていた複数の処理のいずれかを、一の装置とネットワークを介して接続する１以上の他の装置で行う構成にしてもよい。
【００９３】
その一例として、第２の実施の形態の印刷制御システム（画像形成システム）では、ホスト装置およびＤＦＥの機能の一部を、ネットワーク上のサーバ装置上に実装している。
【００９４】
図２０は、第２の実施の形態に係る印刷制御システムの構成を例示する図である。図２０に示すように、印刷制御システムは、ホスト装置３０１０と、ＤＦＥ３０５０と、ＭＩＣ６０と、プリンタ７０と、グロッサ８０と、クラウド上のサーバ装置３０６０とを備えている。グロッサ８０等の後処理機は、これらに限定されるものではない。
【００９５】
本実施の形態では、ホスト装置３０１０とＤＦＥ３０５０とがインターネット等のネットワークを介して、サーバ装置３０６０と接続された構成となっている。また、本実施の形態では、第１の実施の形態のホスト装置１０の版データ生成部と印刷データ生成部、および第１の実施の形態のＤＦＥ５０のクリアプロセッシングを、サーバ装置３０６０に設けた構成となっている。
【００９６】
ここで、ホスト装置３０１０、ＤＦＥ３０５０、ＭＩＣ６０、プリンタ７０、グロッサ８０の接続構成は、第１の実施の形態と同様である。
【００９７】
すなわち、具体的には、第２の実施の形態では、ホスト装置３０１０とＤＦＥ３０５０とがインターネット等のネットワーク（クラウド）を介して、例えば単一のサーバ装置３０６０に接続し、サーバ装置３０６０は、有色版データ、クリア版データおよび光沢制御版データの生成を行う版データ生成処理、印刷データの生成処理、クリアトナー版データの生成処理を行うように構成している。
【００９８】
次に、第２の実施の形態に係る印刷制御システムによる印刷処理に必要なクリアトナー版の生成処理ついて説明する。まず、クリアトナー版の生成処理の全体の流れについて説明する。図２１は、第２の実施の形態にかかるクリアトナー版の生成処理の全体の流れを示すシーケンス図である。
【００９９】
まず、ホスト装置３０１０がユーザから画像指定情報および指定情報を入力し（ステップＳ３２０１）、画像指定情報および指定情報とともに印刷データ生成要求をサーバ装置３０６０に送信する（ステップＳ３２０２）。
【０１００】
サーバ装置３０６０では、画像指定情報および指定情報とともに印刷データ生成要求を受信し、有色版の画像データ、光沢制御版の画像データ、クリア版の画像データをそれぞれ生成する（ステップＳ３２０３）。そして、サーバ装置３０６０は、これらの画像データから印刷データを生成し（ステップＳ３２０４）、生成した印刷データをホスト装置３０１０に送信する（ステップＳ３２０５）。
【０１０１】
ホスト装置３０１０では、印刷データを受信すると、この印刷データをＤＦＥ３０５０に送信する（ステップＳ３２０６）。
【０１０２】
ＤＦＥ３０５０では、印刷データをホスト装置３０１０から受信すると、印刷データを解析して、有色版の画像データ、光沢制御版の画像データ、クリア版の画像データを得て、これらの画像データに変換や補正等を行う（ステップＳ３２０７）。そして、ＤＦＥ３０５０は、有色版の画像データ、光沢制御版の画像データ、クリア版の画像データと、クリアトナー版生成要求とを、サーバ装置３０６０に送信する（ステップＳ３２０８）。
【０１０３】
サーバ装置３０６０は、有色版の画像データ、光沢制御版の画像データ、クリア版の画像データと、クリアトナー版生成要求とを受信すると、オンオフ情報を決定し（ステップＳ３２０９）、クリアトナー版の画像データを生成する（ステップＳ３２１０）。そして、サーバ装置３０６０は、オンオフ情報及び生成したクリアトナー版の画像データをＤＦＥ３０５０に送信する（ステップＳ３２１１）。
【０１０４】
このように第２の実施の形態では、有色版の画像データ、光沢制御版の画像データ、クリア版の画像データ、印刷データ、クリアトナー版の画像データの生成を、クラウド上のサーバ装置３０６０で行っているので、第１の実施の形態の効果の他、複数のホスト装置３０１０やＤＦＥ３０５０が存在する場合でも、濃度値選択テーブルや表面効果選択テーブルの変更等も一括して行うことができ、管理者の便宜となる。
【０１０５】
なお、第２の実施の形態では、クラウド上の単一のサーバ装置３０６０が、有色版データ、クリア版データおよび光沢制御版データの生成を行う版データ生成処理、印刷データの生成処理、クリアトナー版データの生成処理を行うように構成したが、これに限定されるものではない。
【０１０６】
例えば、クラウド上に２以上のサーバ装置を設け、上記各処理を、２以上のサーバ装置で分散させて実行するように構成してもよい。
【０１０７】
次に、上述したホスト装置１０，３０１０、ＤＦＥ５０，３０５０、サーバ装置３０６０，３０６１のハードウェア構成について説明する。図２２は、ホスト装置１０，３０１０、ＤＦＥ５０，３０５０、サーバ装置３０６０，３０６１のハードウェア構成図である。ホスト装置１０，３０１０、ＤＦＥ５０，３０５０、サーバ装置３０６０，３０６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０１０８】
ホスト装置１０，３０１０で実行される画像処理プログラム（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１０９】
また、ホスト装置１０，３０１０で実行される画像処理プログラムを、インターネット等のネットワークに接続されたコンピュータ上に格納し、ネットワーク経由でダウンロードさせることにより提供するように構成しても良い。また、上記実施の形態のホスト装置１０，３０１０で実行される画像処理プログラムをインターネット等のネットワーク経由で提供または配布するように構成しても良い。
【０１１０】
また、ホスト装置１０，３０１０で実行される画像処理プログラムを、ＲＯＭ等に予め組み込んで提供するように構成してもよい。
【０１１１】
ホスト装置１０，３０１０で実行される画像処理プログラムは、上述した各部（画像処理部、版データ生成部、印刷データ生成部、入力制御部、表示制御部）を含むモジュール構成となっており、実際のハードウェアとしてはＣＰＵ（プロセッサ）が上記記憶媒体から画像処理プログラムを読み出して実行することにより上記各部が主記憶装置上にロードされ、画像処理部、版データ生成部、印刷データ生成部、入力制御部、表示制御部が主記憶装置上に生成されるようになっている。
【０１１２】
また、ＤＦＥ５０，３０５０で実行される印刷制御処理は、ハードウェアで実現する他、ソフトウェアとしての印刷制御プログラムで実現してもよい。この場合において、上記実施の形態のＤＦＥ５０，３０５０で実行される印刷制御プログラムは、ＲＯＭ等に予め組み込まれて提供される。
【０１１３】
ＤＦＥ５０，３０５０で実行される印刷制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０１１４】
さらに、ＤＦＥ５０，３０５０で実行される印刷制御プログラムを、インターネット等のネットワークに接続されたコンピュータ上に格納し、ネットワーク経由でダウンロードさせることにより提供するように構成しても良い。また、上記実施の形態のＤＦＥ５０で実行される印刷制御プログラムをインターネット等のネットワーク経由で提供または配布するように構成しても良い。
【０１１５】
ＤＦＥ５０，３０５０で実行される印刷制御プログラムは、上述した各部（レンダリングエンジン、ハーフトーンエンジン、ＴＲＣ、ｓｉ１部、ｓｉ２部、ｓｉ３部、クリアプロセッシング）を含むモジュール構成となっており、実際のハードウェアとしてはＣＰＵ（プロセッサ）が上記ＲＯＭから印刷制御プログラムを読み出して実行することにより上記各部が主記憶装置上にロードされ、レンダリングエンジン、ハーフトーンエンジン、ＴＲＣ、ｓｉ１部、ｓｉ２部、ｓｉ３部、クリアプロセッシングとして主記憶装置上に生成されるようになっている。
【０１１６】
また、サーバ装置３０６０，３０６１で実行される各データの生成処理は、ハードウェアで実現する他、ソフトウェアとしての生成プログラムで実現してもよい。この場合において、上記実施の形態のサーバ装置３０６０，３０６１で実行される生成プログラムは、ＲＯＭ等に予め組み込まれて提供される。
【０１１７】
サーバ装置３０６０，３０６１で実行される各データの生成処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０１１８】
さらに、サーバ装置３０６０，３０６１で実行される各データの生成処理プログラムを、インターネット等のネットワークに接続されたコンピュータ上に格納し、ネットワーク経由でダウンロードさせることにより提供するように構成しても良い。また、上記実施の形態のサーバ装置３０６０，３０６１で実行される各データの生成処理プログラムをインターネット等のネットワーク経由で提供または配布するように構成してもよい。
【０１１９】
上記サーバ装置３０６０，３０６１で実行される各データの生成処理プログラムは、上述した各部（版データ生成部、印刷データ生成部、クリアプロセッシング）を含むモジュール構成となっており、実際のハードウェアとしてはＣＰＵ（プロセッサ）が上記ＲＯＭから生成プログラムを読み出して実行することにより上記各部が主記憶装置上にロードされ、版データ生成部、印刷データ生成部、クリアプロセッシングとして主記憶装置上に生成されるようになっている。
【０１２０】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０１２１】
上述した実施の形態において、画像形成システムは、ホスト装置１０，３０１０、ＤＦＥ５０，３０５０，ＭＩＣ６０、プリンタ７０およびグロッサ８０を備えるように構成したが、これに限らない。例えば、ＤＦＥ５０，３０５０、ＭＩＣ６０及びプリンタ７０を一体的に形成して１つの画像形成装置として構成するようにしても良いし、更に、グロッサ８０を備えた画像形成装置として形成するようにしても良い。
【０１２２】
上述した実施の形態の画像形成システムにおいては、ＣＭＹＫの複数の色のトナーを用いて画像を形成するようにしたが、１色のトナーを用いて画像を形成するようにしても良い。
【０１２３】
なお、上述した実施の形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０１２４】
１０，３０１０  ホスト装置
１１  Ｉ／Ｆ部
１２  記憶部
１３  入力部
１４  表示部
１５  制御部
５０，３０５０  ＤＦＥ
５１  レンダリングエンジン
５２  ｓｉ１部
５３  ＴＲＣ
５４  ｓｉ２部
５５  ハーフトーンエンジン
５６  クリアプロセッシング
５７  ｓｉ３部
５８  データ取得部
６０  ＭＩＣ
７０  プリンタ
８０  グロッサ
５６０  光沢制御版記憶部
５６１  クリア版記憶部
５６２  テーブル記憶部
５６３  クリアトナー版処理部
５６４  表面効果情報記憶部
５６５  ＵＩ部（入力部）
５６６  設定記憶部
５６７  決定部
５６８  後処理制御記憶部
５６９  クリアトナー版記憶部
３０６０，３０６１  サーバ装置
【先行技術文献】
【特許文献】
【０１２５】
【特許文献１】特開２００９−０５８９４１号公報
【特許文献２】特開２０１０−１５２１２９号公報
【図１】
2013235567.tif 000003
【図２】
2013235567.tif 000004
【図３】
2013235567.tif 000005
【図４】
2013235567.tif 000006
【図５】
2013235567.tif 000007
【図６】
2013235567.tif 000008
【図９】
2013235567.tif 000009
【図１０】
2013235567.tif 000010
【図１１】
2013235567.tif 000011
【図１２】
2013235567.tif 000012
【図１３】
2013235567.tif 000013
【図１４】
2013235567.tif 000014
【図１５】
2013235567.tif 000015
【図１６】
2013235567.tif 000016
【図１７】
2013235567.tif 000017
【図１８】
2013235567.tif 000018
【図１９】
2013235567.tif 000019
【図２０】
2013235567.tif 000020
【図２１】
2013235567.tif 000021
【図２２】
2013235567.tif 000022
【図７】
2013235567.tif 000023
【図８】
2013235567.tif 000024